(57)【要約】【課題】  従来の自吸式ポンプより自吸時間を短縮し、より効率の良いポンプを提供する。【解決手段】  第１ケーシングおよび第２ケーシングの２つに分割されたケーシングからなる自吸式ポンプにおいて、羽根車を収め水と空気を撹拌する羽根車室と、気水分離するためのタンク室と、該羽根車室から該タンク室へ流水する流水通路とが隔壁にて仕切られるように第２ケーシングに形成し、該羽根車室とタンク室を連通し気水分離した水を羽根車室へ戻す戻り溝を、軸心よりも下方の位置に形成し、この戻り溝へと連なる戻り通路をタンク室から形成されている構成。【選択図】  図１
2010121476.tif 000002
【特許請求の範囲】
【請求項１】
電動機と、
前記電動機から伸びる回転軸と、
前記回転軸に取り付けられた羽根車と、
第１ケーシングおよび第２ケーシングの２つに分割されたポンプケーシングと、
からなる自吸式ポンプにおいて、
前記第１ケーシングは、上方から水が流入する吸込口および連通する吸込通路と、上方へ水を吐出する吐出口及び連通する吐出通路とが形成され、
前記第２ケーシングは、前記羽根車を納める羽根車室と、気水分離するタンク室と、該羽根車室から該タンク室へ流水する流水通路とが隔壁にて仕切られ、
前記羽根車室と前記タンク室とを仕切る隔壁に戻り溝が形成され、
前記戻り溝は、軸心より下方に配置したことを特徴とする自吸式ポンプ。
【請求項２】
戻り通路が、前記流水通路と対称位置に設けられ、かつ、軸心より下方まで形成され、前記戻り溝を介して前記ポンプ室と連通していることを特徴とする請求項１記載の自吸式ポンプ。
【発明の詳細な説明】
【技術分野】
【０００１】
本発明は、ポンプケーシング内を全て呼び水で満たす必要の無い自吸式ポンプに関する。
【背景技術】
【０００２】
ポンプを駆動させるための電動機と、羽根車を収納する羽根車ケーシングと、呼び水をためる呼び水ケーシングとからなる自吸式ポンプは、従来から知られている。（特許文献１参照）
【特許文献１】実開平３−７３６９５号
【０００３】
図２を用いて従来の自吸式ポンプについて説明する。従来の自吸式ポンプ１は、駆動源であるモータ部２と、水を汲み上げ排水するポンプ部３とから構成されている。
【０００４】
ポンプ部３は、第１ケーシング４および第２ケーシング１０５とからなる。第１ケーシング４は、上方に吸込口６および吐出口（図示せず）が形成され、ケーシング内部には流通路が形成されている。また、第２ケーシング１０５には各種部屋が形成され、モータ部２から延びる回転軸７の先端に取り付けられた羽根車１０８が収められている。両ケーシングの間にはパッキン（図示せず）が配され、両ケーシングを仕切っている。
【０００５】
前記モータ部２が駆動するとモータに取り付けられた回転軸７が回転し、回転軸７の先端に取り付けられた羽根車１０８が回転する。羽根車１０８の回転によりポンプが作用し、第１ケーシングの吸込口６から流入した水が第１ケーシング４を通って、第２ケーシング１０５へ流入し、再度第１ケーシング４へ戻って吐出口へと流出する。
【０００６】
次に、図３を用いて、第２ケーシング１０５中での動作について説明する。羽根車室１０９には羽根車１０８が納められ、ポンプ停止時にはポンプ内に呼び水が溜められている。モータが駆動し羽根車１０８が回転することで、前記呼び水が羽根車室１０９内で空気と撹拌され、気泡を含む水が流水通路１１０を通り、タンク室１１１へ流水する。
【０００７】
気泡を含む水は、タンク室１１１中に形成されたケーシング壁１１２にて衝突し水と空気が分離することで、空気は第１ケーシング４へ流れ、上方の吐出口６からポンプ外へと排出される。また、気泡を含まない水は、タンク室１１１と羽根車室１０９との隔壁１１３に設けられた戻り溝１１４から羽根車室１０９へと戻ることとなる。羽根車室１０９へ戻った水は、羽根車室１０９で再度空気と撹拌され、再度タンク室１１１へ流水される。
【０００８】
このような自吸作用を繰り返すことで、ポンプ内の空気を外へと排出し、ポンプ内の圧力が低くなることで水を汲み上げる揚水作用が働きだし、ポンプ内に水が満たされることで、揚水作用が最大に働くことになる。
【発明の開示】
【発明が解決しようとする課題】
【０００９】
しかしながら、前記戻り溝１１４を従来のように羽根車１０８よりも高い位置に配していると、空気の含まれていない水だけが羽根車室１０９へ戻るわけでなく、水の流れる勢いにより気泡を含んだ水も戻ってしまうという問題があった。
【００１０】
気泡を含んだ状態で再度羽根車室１０９に戻ると、揚水作用が働くまでの時間（自吸時間）が長くなる。つまり、ポンプとして作用が有効に働くまでに時間がかかることとなる。また、ポンプ室内で空気をかき回す時の騒音や、吐出口から空気が出る時の騒音が発生する時間も長くなる。
【００１１】
本発明は、上記従来の問題を顧みて、自吸時間を短縮し、ポンプ機能の効率の良い自吸式ポンプを提供するものである。
【課題を解決するための手段】
【００１２】
請求項１の発明は、電動機と、前記電動機から伸びる回転軸と、前記回転軸に取り付けられた羽根車と、第１ケーシングおよび第２ケーシングの２つに分割されたポンプケーシングとからなる自吸式ポンプにおいて、前記第１ケーシングは、上方から水が流入する吸込口および連通する吸込通路と、上方へ水を吐出する吐出口及び連通する吐出通路とが形成され、前記第２ケーシングは、前記羽根車を納める羽根車室と、気水分離するタンク室と、該羽根車室から該タンク室へ流水する流水通路とが隔壁にて仕切られ、前記羽根車室と前記タンク室とを仕切る隔壁に戻り溝が形成され、前記戻り溝は、軸心より下方に配置したことを特徴とする自吸式ポンプに関するものである。
【００１３】
請求項２の発明は、戻り通路が、前記流水通路と対称位置に設けられ、かつ、軸心より下方まで形成され、前記戻り溝を介して前記ポンプ室と連通していることを特徴とする請求項１記載の自吸式ポンプに関するものである。
【発明の効果】
【００１４】
本発明のポンプであると、ポンプ内の空気を抜き、揚水作用が始まるまでの自吸時間を短縮することができ、ポンプの作用が有効に働くまでの時間が短縮することになる。その結果、ポンプの効率が高くなることになる。
【００１５】
また、ポンプ内の空気をかき回す時や、吐出口から空気が出る時の騒音が発生する時間も短いものとなる。
【発明を実施するための最良の形態】
【００１６】
本発明の実施の形態について図１を用いて説明する。また、本発明のポンプ全体の構造に関して、前述した従来の構成とは第２ケーシングの形状以外に特に差異は無いため、説明は省略する。
【００１７】
本発明の第２ケーシング５は、円形の羽根車８を収めるための羽根車室９と、空気と水を分離するタンク室１１とが、隔壁１３にて隔離され、２つの部屋を形成している。この隔壁１３は羽根車８に沿うように形成され、その一端は上方向に延出されていることにより、流水方向（図では逆時計回り）が上方へ向う流水通路１０が設けられている。タンク室１１には水と空気を分離する突出壁１２が形成されている。
【００１８】
タンク室１１には流水通路１０とは反対側に戻り通路１５が形成されている。この戻り通路１５は、回転軸７の軸心より下方の位置まで延び、下方に向うほど通路の幅が狭くなっている。また、隔壁１３には戻り溝１４が形成され、タンク室１１と羽根車室９が連通しており、その位置は軸心より下方に形成されている。そして、前記戻り通路１５の下端の隔壁１３には、戻り溝１４が設けられており、羽根車室９と連通しており、タンク室１１から降りてきた水が羽根車室９へと流れるようになっている。
【００１９】
図１および図２を用いて本発明のポンプ１の作用について説明する。
【００２０】
ポンプ１は自吸式ポンプであり、ポンプが停止している時は、ポンプ内に呼び水が溜められている状態で静止している。モータ部２が駆動することで回転軸７およびその先端の羽根車８が回転し、羽根車室９内にて呼び水と空気が撹拌される。撹拌され気泡を含む水は流水通路１０を通ってタンク室１１へと吐出される。
【００２１】
流水通路１０から吐出された水はその勢いで突出壁１２にぶつかり、水と空気が分離し、比重の軽い空気は第１ケーシング４を通って吐出口（図示せず）から吐出される。一方比重の重い水はタンク室１１の下方へ流れ、下方に設けられた戻り通路１５を通って、戻り溝１４から羽根車室９へと戻っていく。
【００２２】
戻り溝１４は、流水通路１０から離れた軸心より下方に設けてあるため、流水の勢いで気泡を含んだ水が戻り溝１４を通ることは少なくなり、また、戻り通路１５は下方へ向うほど狭くなっているため、気泡を含んだ水、特に大きな気泡は戻り溝１４へ通ることが困難になるため、気泡が羽根車室９へ戻ることが無くなる。
【００２３】
よって、従来のように気泡が羽根車室へ戻ることがないため、ポンプ内の空気をすばやく排出して、ポンプ内を水で満たすことができ、揚水作用が始まるまでの時間が短縮できる。
【００２４】
本発明のポンプと、従来のポンプとを比較検証した結果、従来のポンプの自吸時間が約１分３０秒に対して、本願発明のポンプの自吸時間が約１分であり、自吸時間が３０秒短縮される結果となった。
【００２５】
よって、ポンプとして効率の高いものを提供することができ、さらに、ポンプ内に空気があることによる騒音の時間が短くなるため、近年の省エネルギー化、消音化が望まれる機器に搭載することができる。
【００２６】
（変更例）
先の実施例では、突出壁１２をタンク室１１に設けていたが、従来例のようにケーシング壁を突出させてもよく、この構成ではケーシングのリブとしても効果を得ることができるので、ケーシングの強度が高くなる。
【００２７】
本発明のポンプは、湯沸かし器の保温・追い炊きを行う用途に用いられることで、自吸時間の短縮により効率良く追い炊きを行うことができるため、近年の省エネルギー化機器への搭載に向いている。
【図面の簡単な説明】
【００２８】
【図１】本発明の自吸式ポンプの第２ケーシングの正面図である。
【図２】自吸式ポンプの側断面図である。
【図３】従来の自吸式ポンプの第２ケーシングの正面図である。
【符号の説明】
【００２９】
１    ポンプ
２    モータ部
３    ポンプ部
４    第１ケーシング
５    第２ケーシング
６    吸込口
７    回転軸
８    羽根車
９    羽根車室
１０  流水通路
１１  タンク室
１２  突出壁
１３  隔壁
１４  戻り溝
１５  戻り通路
【図１】
2010121476.tif 000003
【図２】
2010121476.tif 000004
【図３】
2010121476.tif 000005